(57)【特許請求の範囲】
【請求項１】
建物の外壁又は屋根を形成する板材の屋外側に設けられた集熱板を有するとともに前記板材と前記集熱板との間に集熱空間が形成されている集熱部を備え、
前記集熱空間と建物内空間とを連通する給気通路を介して前記集熱空間の空気を前記建物内空間に供給する建物の太陽熱集熱装置であって、
前記集熱部に対して冷却又は加熱のための流体を供給して該集熱部の温度を低下又は上昇させる温度調整手段と、
前記集熱部の温度を検出する温度検出手段と、
前記温度検出手段の検出結果に基づいて前記温度調整手段による流体の供給を制御する制御手段と、
を備え、
前記制御手段は、前記温度検出手段により検出された前記集熱部の温度が冷却基準温度より高い場合に、前記温度調整手段に冷却のための前記流体を供給させて前記集熱部の温度を低下させる手段と、前記温度検出手段により検出された前記集熱部の温度が加熱基準温度より低い場合に、前記温度調整手段に加熱のための前記流体を供給させて前記集熱部の温度を上昇させる手段とのうち少なくとも一方を有し、
前記温度調整手段は、冷却又は加熱の対象となる前記集熱空間に対して別の空間部から前記流体としての空気を供給する空気供給手段を有しており、
前記集熱空間は複数形成されており、
前記空気供給手段は、冷却又は加熱の対象となる前記集熱空間に対して別の集熱空間から空気を供給することを特徴とする建物の太陽熱集熱装置。
【請求項２】
前記建物内空間の下方に床下空間が形成されている建物に適用され、
前記空気供給手段は、冷却の対象となる前記集熱空間に対して前記床下空間から空気を供給することを特徴とする請求項１に記載の建物の太陽熱集熱装置。
【請求項３】
前記温度調整手段は、前記集熱板の屋外面に対して前記流体を供給する屋外側供給手段を有していることを特徴とする請求項１又は２に記載の建物の太陽熱集熱装置。
【請求項４】
前記屋外側供給手段は、前記集熱板の屋外面に対して前記流体としての冷却用水を供給することを特徴とする請求項３に記載の建物の太陽熱集熱装置。
【請求項５】
前記集熱板は、屋外面において同じ方向に延びる複数の溝部が並列に、且つ前記溝部の幅が溝部間の離間距離より大きくなるように折り曲げ形成された折曲板であり、
前記屋外側供給手段は、前記溝部に前記冷却用水を流すことを特徴とする請求項４に記載の建物の太陽熱集熱装置。
【請求項６】
前記集熱空間と前記板材との間での熱の伝達を規制する断熱材が前記板材の屋外側面に設けられていることを特徴とする請求項１乃至５のいずれか１項に記載の建物の太陽熱集熱装置。
【発明の詳細な説明】
【技術分野】
【０００１】
本発明は、建物の太陽熱集熱装置に関するものである。
【背景技術】
【０００２】
太陽光の熱を利用して建物内空間の空気を温める技術が提案されている。例えば特許文献１に記載されている構成では、建物の壁体の屋外側に鋼板等の集熱板が設けられ、壁体と集熱板との間に空気層が形成され、空気層の空気を居室に供給するファンが設けられている。この構成では、空気層の空気が集熱板を介して太陽光により温められ、ファンが駆動することにより居室に供給される。これにより、例えば冬期において太陽光からの熱を利用して居室の暖房を行うことができる。
【先行技術文献】
【特許文献】
【０００３】
【特許文献１】特許第３３５２０５６号公報
【発明の概要】
【発明が解決しようとする課題】
【０００４】
しかしながら、太陽光により空気層に熱が加えられた状態では、ファンの駆動が停止されていても空気層の熱が壁体を通じて居室に伝わる可能性がある。特に、夏期において空気層の熱が居室に伝わると、居室の温度が上昇することや居室の冷房効果が低下することが懸念される。したがって、太陽光の熱を利用して居室の温度調整を行う構成に関して改善の余地がある。
【０００５】
本発明は、太陽熱集熱装置により建物内空間の暖房が行われる構成において、建物内空間の温度調整を好適に行うことを主たる目的とする。
【課題を解決するための手段】
【０００６】
上記課題を解決するために、第１の発明の太陽熱集熱装置は、建物の外壁又は屋根を形成する板材の屋外側に設けられた集熱板を有するとともに前記板材と前記集熱板との間に集熱空間が形成されている集熱部を備え、前記集熱空間と建物内空間とを連通する給気通路を介して前記集熱空間の空気を前記建物内空間に供給する建物の太陽熱集熱装置であって、前記集熱部に対して冷却又は加熱のための流体を供給して該集熱部の温度を低下又は上昇させる温度調整手段と、前記集熱部の温度を検出する温度検出手段と、前記温度検出手段の検出結果に基づいて前記温度調整手段による流体の供給を制御する制御手段とを備え、前記制御手段は、前記温度検出手段により検出された前記集熱部の温度が冷却基準温度より高い場合に、前記温度調整手段に冷却のための前記流体を供給させて前記集熱部の温度を低下させる手段と、前記温度検出手段により検出された前記集熱部の温度が加熱基準温度より低い場合に、前記温度調整手段に加熱のための前記流体を供給させて前記集熱部の温度を上昇させる手段とのうち少なくとも一方を有することを特徴とする。
【０００７】
第１の発明によれば、集熱部において太陽光により加熱された空気が建物内空間に供給されることにより建物内空間の暖房が行われる構成において、冷却のための流体が供給されると集熱部の温度が低下し、加熱のための流体が供給されると集熱部の温度が上昇する。ここで、集熱部の温度を低下させる処理と集熱部の温度を上昇させる処理とのうち少なくとも一方の処理が行われるため、集熱部の温度調整を好適に行うことができる。例えば、夏期に外壁や屋根において集熱部の温度が所定温度より高い場合、集熱部の熱が板材を通じて建物内空間に伝わるとその建物内空間の温度上昇が懸念されるが、流体により集熱部の温度を低下させることで建物内空間の温度上昇を抑制できる。また、冬期において集熱部の温度が所定温度以下である場合、太陽光に加えて流体により集熱空間の空気の温度を上昇させることが可能となるため、集熱空間の空気による建物内空間の暖房に際して建物内空間の上昇温度を増加させることができる。以上の結果、太陽熱集熱装置により建物内空間の暖房が行われる構成において、建物内空間の温度調整を好適に行うことができる。
【０００８】
なお、温度調整手段により集熱部に対して流体が供給される構成としては、集熱板及び集熱空間の少なくとも一方に流体が供給される構成が挙げられる。また、集熱板としては、矩形状や波状に折り曲げられてなるスパンドレル等の折曲板が挙げられる。
【０００９】
また、集熱部の温度を低下させる処理を行うことにより、集熱部の温度が過剰に上昇することを回避できる。この場合、例えば夏期において人が触れる可能性のある集熱板が高温になることを回避できるため、集熱板の温度をその集熱板に人が触れても安全な温度に保つことができる。
【００１０】
第２の発明では、前記温度調整手段は、冷却又は加熱の対象となる前記集熱空間に対して別の空間部から前記流体としての空気を供給する空気供給手段を有している。
【００１１】
第２の発明によれば、冷却又は加熱のための流体として空気を集熱空間に対して別の空間部から供給することが可能となっている。したがって、建物内部又は建物周辺部における集熱空間との空気の温度差を積極的に用いて、集熱部の温度を低下又は上昇させる構成を実現できる。
【００１２】
第３の発明では、前記集熱空間は複数形成されており、前記空気供給手段は、冷却又は加熱の対象となる前記集熱空間に対して別の集熱空間から空気を供給する。
【００１３】
第３の発明によれば、複数の集熱空間について、設置場所等の理由によりそれら集熱空間の温度が異なる場合、冷却又は加熱の対象となる集熱空間に対して他の集熱空間から冷却又は加熱のための空気を供給することが可能となる。例えば、所定の集熱空間に対して日陰にある集熱部の集熱空間から低温の空気を供給することにより前記所定の集熱空間の温度を低下させることができ、日向にある集熱部の集熱空間から高温の空気を供給することにより前記所定の集熱空間の温度を上昇させることができる。したがって、建物内空間の温度調整を好適に行う構成において集熱空間の空気を有効に利用することができる。
【００１４】
第４の発明では、前記建物内空間の下方に床下空間が形成されている建物に適用され、前記空気供給手段は、冷却の対象となる前記集熱空間に対して前記床下空間から空気を供給する。
【００１５】
床下空間の空気は夏期においても比較的低温な冷気であると想定される。そこで、第４の発明によれば、冷却の対象となる集熱空間に対して床下空間から空気が供給されるため、集熱空間の温度を低下させることができる。したがって、夏期に集熱空間の熱により建物内空間の温度が上昇するという不都合を抑制できる構成において、省エネルギ化を図ることができる。
【００１６】
第５の発明では、前記温度調整手段は、前記集熱板の屋外面に対して前記流体を供給する屋外側供給手段を有している。
【００１７】
第５の発明によれば、冷却又は加熱のための流体により集熱板が直接冷却又は加熱されるため、集熱板の冷却又は加熱効率を高めることができる。つまり、集熱部の温度を低下又は上昇させる構成において、集熱部の冷却効率又は加熱効率を高めることができる。
【００１８】
第６の発明では、前記屋外側供給手段は、前記集熱板の屋外面に対して前記流体としての冷却用水を供給する。
【００１９】
第６の発明によれば、集熱板の屋外面が冷却用水の供給面とされているため、冷却用水により集熱板を直接冷却できるのはもちろんのこと、冷却用水の気化熱により集熱板の屋外面の周辺空間の温度を低下させて集熱板の温度が上昇することを抑制できる。
【００２０】
第７の発明では、前記集熱板は、屋外面において同じ方向に延びる複数の溝部が並列に、且つ前記溝部の幅が溝部間の離間距離より大きくなるように折り曲げ形成された折曲板であり、前記屋外側供給手段は、前記溝部に前記冷却用水を流す。
【００２１】
第７の発明によれば、複数の溝部に冷却用水を流す構成において、冷却用水が流れる流水部となる溝部の幅が、流水部とならない溝部間の部位（隣り合う２つの溝部の間の部位）の幅よりも大きいため、冷却用水の流れる方向を溝部により規制しつつ集熱板における流水部の範囲を極力大きくすることができる。したがって、冷却用水による集熱板の冷却効率を高めることができる。
【００２２】
第８の発明では、前記集熱空間と前記板材との間での熱の伝達を規制する断熱材が前記板材の屋外側面に設けられている。
【００２３】
第８の発明によれば、夏期に冷却のための流体により集熱部の温度を低下させ、さらに外壁や屋根において集熱空間の熱が板材を通じて建物内空間に伝わることが断熱材により制限されるため、建物内空間の温度上昇をより確実に浴せできる。つまり、夏期において建物内空間の温度調整をより一層好適に行うことができる。
【図面の簡単な説明】
【００２４】
【図１】本実施形態における建物の外壁周辺の概略断面を示す図。
【図２】外壁における窓部周辺の外観を示す正面図。
【図３】外壁における集熱空間の配置を示す図。
【図４】居室の床面周辺における外壁の縦断面図。
【図５】居室の天井面周辺における外壁の縦断面図。
【図６】スパンドレル周辺の外壁の横断面図。
【図７】スパンドレル温度調整処理の処理手順を示すフローチャート。
【図８】居室周辺の建物の概略平面図。
【図９】別の建物の居室周辺の概略断面を示す図。
【図１０】別の外壁周辺の概略平面図。
【発明を実施するための形態】
【００２５】
以下、本発明を具体化した一実施形態を図面に基づいて説明する。本実施形態では、本発明を２階建ての建物について具体化している。図１は外壁１５周辺の概略断面を示す図、図２は外壁１５における窓部１８周辺の外観を示す正面図である。なお、図１には、太陽熱集熱装置３１に関する電気的な構成を示すブロック図が含まれている。
【００２６】
図２に示すように、住宅等の建物１０は一階部分１１及び二階部分１２を有している。建物１０の外壁１５には開口部としての窓部１８が形成されており、窓部１８は一階部分１１及び二階部分１２のそれぞれにおいて複数配置されている。窓部１８には、開放可能な片開き窓２１が設けられている。片開き窓２１は窓サッシや窓ガラスなどを含んで構成されている。この場合、窓部１８を通じて太陽光や外気を建物内に取り込むことが可能となっている。
【００２７】
一階部分１１及び二階部分１２において、外壁１５はスパンドレル２４を含んで構成されており、外壁１５の屋外面がスパンドレル２４により形成されている。スパンドレル２４は、アルミニウム等の鋼鉄材により板状に形成されており、熱伝導率が比較的高くなっている。スパンドレル２４は、板材が波状に折り曲げられて形成された折曲板であって、上下方向に延び且つ横並びになっている複数の溝部２７を有している。スパンドレル２４は、外壁１５においてスパンドレル支持枠２６により支持されており、スパンドレル支持枠２６はスパンドレル２４の周縁部に沿って延びる枠状に形成されている。
【００２８】
図１に示すように、建物１０には建物内空間としての居室２９が設けられている。居室２９は例えばリビングや寝室となっており、屋外空間とは外壁１５により仕切られている。建物１０には、外壁１５において太陽光の熱を集めることで空気を温めるとともにその温めた空気を居室２９に供給する太陽熱集熱装置３１が設けられている。太陽熱集熱装置３１は、スパンドレル２４を介して太陽光の熱を集める集熱空間３２を有しており、集熱空間３２は外壁１５に設けられている。
【００２９】
外壁１５には、集熱空間３２から居室２９に空気を供給するための集熱給気通路３５と、居室２９から集熱空間３２に空気を取り込むための集熱還気通路３６とが設けられている。これら集熱給気通路３５及び集熱還気通路３６はそれぞれ集熱空間３２と居室２９とを連通する連通路となっており、集熱給気通路３５は居室２９の天井面近傍に配置され、集熱還気通路３６は床面近傍に配置されている。この場合、集熱還気通路３６を通じて居室２９から集熱空間３２に内気が取り込まれ、その内気が集熱空間３２にて太陽光により温められると、温められた空気が集熱給気通路３５を通じて居室２９へ供給されることになる。
【００３０】
次に、太陽熱集熱装置３１の集熱空間３２の配置について図３を参照しつつ説明する。図３は外壁１５における集熱空間３２の配置を示す図である。なお、図３においては集熱空間３２の配置を明確化するために溝部２７の図示を省略している。
【００３１】
図３に示すように、外壁１５には、窓部１８が設けられている窓有り領域Ｓ１と、窓部１８が設けられていない窓無し領域Ｓ２とが横並びに設けられており、それら領域Ｓ１，Ｓ２は屋外空間と居室２９との間に存在している。太陽熱集熱装置３１は集熱空間３２を複数有しており、窓無し領域Ｓ２のそれぞれに集熱空間３２が設けられ、窓有り領域Ｓ１には集熱空間３２が設けられていない。この場合、集熱空間３２は窓部１８の側方に配置されていることになり、例えば集熱空間３２が窓有り領域Ｓ１において窓部１８の上方や下方に配置されている構成に比べて、集熱空間３２の上下方向の寸法が大きくなっている。
【００３２】
窓有り領域Ｓ１及び窓無し領域Ｓ２のいずれにおいても、外壁１５の屋外面はスパンドレル２４により形成されている。したがって、窓有り領域Ｓ１及び窓無し領域Ｓ２において外壁１５の屋外面が異なる板材により形成されている構成に比べて、外壁１５の意匠性を向上させることができる。
【００３３】
ここで、窓無し領域Ｓ２における外壁１５の構成について図４、図５を参照しつつ説明する。図４は居室２９の床面周辺における外壁１５の縦断面図、図５は居室２９の天井面周辺における外壁１５の縦断面図である。
【００３４】
図４に示すように、居室２９の下方には床下空間３９が設けられており、床下空間３９の周囲には基礎４１が設けられている。基礎４１の上方には溝形鋼よりなる床大梁４２が設けられており、床大梁４２はその開放側を床下空間３９側に向けて基礎４１に沿って水平方向に延びている。基礎４１と床大梁４２との間には梁下スペーサ４３が設けられており、床大梁４２は梁下スペーサ４３により基礎４１の上面から離間していることになる。なお、梁下スペーサ４３は所定の間隔で複数設置されている。これにより、基礎４１と床大梁４２との間には建物１０の略全周にわたって通気用の隙間が設けられていることになる。
【００３５】
床大梁４２には床下地材４４が載置されており、床下地材４４の上方に床材４５が設けられている。床材４５はフローリング等により形成されており、居室２９と床下空間３９とを仕切っている。
【００３６】
外壁１５は床大梁４２に対して取り付けられている。外壁１５は外壁パネル５１を有しており、外壁パネル５１は、板材としての外壁材５２と、その外壁材５２の裏面（居室２９側の面）に取り付けられた外壁フレーム５３とを含んで構成されている。外壁材５２はサイディングボード等により形成されている。外壁フレーム５３は溝形鋼により形成されており、床大梁４２に取り付け固定されている。なお、外壁フレーム５３においては、上下方向や水平方向に延びるフレーム部材が所定の間隔で複数配置されており、それらフレーム部材の間に壁内空気層５４が形成されている。
【００３７】
外壁１５において、外壁パネル５１の居室２９側には内壁材５５が設けられている。内壁材５５は石膏ボード等により形成されており、図示しない下地フレーム等を介して外壁フレーム５３に取り付け固定されている。外壁材５２と内壁材５５との間において壁内空気層５４より居室２９側には居室側断熱材５６が設けられている。居室側断熱材５６はグラスウールやウレタンフォーム等により形成されており、内壁材５５の屋外側面に沿って延びている。内壁材５５の居室２９側の面には、下端部における床材４５との境界付近に巾木５７が取り付けられている。
【００３８】
外壁１５において、スパンドレル２４は外壁パネル５１の屋外側に設けられている。スパンドレル２４においてスパンドレル支持枠２６は、ビスが外壁材５２を介して外壁フレーム５３に螺着されることなどにより外壁パネル５１に取り付け固定されている。これにより、スパンドレル２４が外壁パネル５１に対して固定されている。
【００３９】
スパンドレル２４は外壁材５２から屋外側に離間して設けられており、スパンドレル２４と外壁材５２との間の隙間が集熱空間３２となっている。ここでは、スパンドレル支持枠２６はスパンドレル２４よりも外壁材５２側へ突出しており、その突出した部分によってスパンドレル２４が外壁材５２から離れた位置で保持されている。また、スパンドレル支持枠２６は、集熱空間３２の周縁部においてスパンドレル２４と外壁材５２とを連結しており、集熱空間３２を屋外側へ開放されていない閉鎖空間としている。ここで、スパンドレル２４は太陽光が付与される集熱板に相当し、スパンドレル２４及び集熱空間３２が集熱部を形成している。
【００４０】
外壁材５２のスパンドレル２４側の面にはスパンドレル側断熱材６４が設けられている。スパンドレル側断熱材６４は断熱性を有する断熱シートにより形成されており、外壁材５２に対して貼り付けられている。この場合、スパンドレル側断熱材６４は、外壁材５２と集熱空間３２との間に存在しており、集熱空間３２に沿って延びている。
【００４１】
外壁１５における床面近傍には、集熱還気通路３６を形成する還気用スリーブ６６が設けられている。還気用スリーブ６６は空調用配管により形成されており、例えば直径が１５０ｍｍとなっている。還気用スリーブ６６は、内壁材５５、居室側断熱材５６、壁内空気層５４、外壁材５２及びスパンドレル側断熱材６４を貫通しており、還気用スリーブ６６は、壁内空気層５４を介することなく集熱空間３２と居室２９とを直接連通している。なお、外壁パネル５１には、還気用スリーブ６６を固定するための固定枠が取り付けられており、還気用スリーブ６６はその固定枠を介して外壁パネル５１に固定されている。
【００４２】
ちなみに、還気用スリーブ６６には、集熱還気通路３６を閉鎖する閉塞栓６７を取り付けることが可能となっている。閉塞栓６７は、内壁材５５と同様に石膏ボード等により形成された閉塞壁材６７ａと、居室側断熱材５６と同様にグラスウール等により形成された閉塞断熱材６７ｂと、それら閉塞壁材６７ａ及び閉塞断熱材６７ｂとを収容している閉塞ケース６７ｃとを有している。閉塞ケース６７ｃは還気用スリーブ６６の内周面と嵌合する大きさ及び形状となっており、閉塞ケース６７ｃが還気用スリーブ６６に嵌合されると、内壁材５５及び居室側断熱材５６の各貫通孔が閉塞壁材６７ａ及び閉塞断熱材６７ｂによりそれぞれ埋められた状態となる。
【００４３】
図５に示すように、居室２９の上方には天井裏空間６９が設けられている。天井裏空間６９には溝形鋼よりなる天井大梁７２が設けられており、天井大梁７２はその開放側を側方（居室２９側）に向けて床大梁４２と同様に水平方向に延びている。天井大梁７２の下方には天井材７３が設けられている。天井材７３は石膏ボード等により形成されており、居室２９と天井裏空間６９とを仕切っている。
【００４４】
外壁１５は天井大梁７２に対して取り付けられており、その取り付け構造は床大梁４２に対する取り付け構造と同様になっている。例えば、外壁パネル５１が天井大梁７２に対して取り付け固定されており、外壁パネル５１に対して内壁材５５等が取り付けられている。
【００４５】
外壁１５における天井面近傍には、集熱給気通路３５を形成する給気用スリーブ７６が設けられている。給気用スリーブ７６は、還気用スリーブ６６と同様に空調用配管により形成されており、内壁材５５、居室側断熱材５６、壁内空気層５４、外壁材５２及びスパンドレル側断熱材６４を貫通している。この場合、給気用スリーブ７６は、壁内空気層５４を介することなく集熱空間３２と居室２９とを直接連通していることになる。
【００４６】
居室２９には、給気用スリーブ７６を介して集熱空間３２から居室２９に駆動給気を行う給気ファン７７が設けられている。給気ファン７７は電気モータを含んで構成されており、給気用スリーブ７６に対して取り付けられている。
【００４７】
ここで、外壁１５から居室２９への太陽熱の伝わり方について説明する。
【００４８】
外壁１５においてスパンドレル２４に太陽光が照射された場合、スパンドレル２４には日射熱が付与される。この場合、日射熱は、放射熱伝達によりスパンドレル２４を介して集熱空間３２に伝わるとともに、対流熱損失によりスパンドレル２４から屋外へ放出される。そして、還気用スリーブ６６の集熱還気通路３６を通じて居室２９から集熱空間３２に流れ込んだ空気が、日射熱のうち集熱空間３２に伝わった熱により温められて暖気となり、その暖気が給気用スリーブ７６の集熱給気通路３５を通じて居室２９に供給される。この結果、集熱空間３２に流れ込んだ還気に比べて居室２９に供給される給気の温度が高くなり、居室２９の暖房が行われることになる。
【００４９】
ところで、外壁１５において、例えば冬期に太陽光によりスパンドレル２４を介して集熱空間３２が加熱されることは居室２９を暖房する上で好ましいが、例えば夏期に集熱空間３２が加熱されることは居室２９の温度上昇を抑制する上で好ましくないと考えられる。これは、集熱空間３２が加熱されると外壁１５に熱がこもることになり、それによって居室２９の温度上昇や冷房効率の低下が懸念されるためである。
【００５０】
そこで、本実施形態においては、太陽熱集熱装置３１の集熱空間３２の温度上昇を抑制するために、スパンドレル２４を冷却する冷却用水をスパンドレル２４に対して供給する構成となっている。この構成によれば、集熱空間３２の温度上昇を抑制し、ひいては居室２９の温度上昇や冷房効率の低下を抑制することができる。
【００５１】
スパンドレル２４に冷却用水が供給される構成について図１及び図６を参照しつつ説明する。図６はスパンドレル２４周辺の外壁１５の横断面図である。
【００５２】
図１に示すように、外壁１５には、スパンドレル２４の屋外面に冷却用水を供給する給水装置８１が設けられている。給水装置８１は、冷却用水をスパンドレル２４の溝部２７に向けて放出する放水部８２と、放水部８２から冷却用水を駆動放出させる給水駆動部８３とを有しており、スパンドレル２４の上方に配置されている。放水部８２は、スパンドレル２４の上端に沿って水平方向に延びる水用配管により形成されており、その水用配管には放水用の貫通孔が溝部２７の上方に形成されている。これにより、給水駆動部８３が駆動することで放水部８２の貫通孔から溝部２７に冷却用水が供給されることになる。
【００５３】
図６に示すように、スパンドレル２４において溝部２７の幅寸法Ｗ１は、隣り合う溝部２７の間の溝間寸法Ｗ２より大きくなっている。この場合、放水部８２から放出された冷却用水が溝部２７の内周面を流下する際に、幅寸法Ｗ１が溝間寸法Ｗ２以下である場合に比べて、スパンドレル２４の屋外面において冷却用水の流れる面積が大きくなる。しかも、溝部２７においては、冷却用水が開放側を除く３面に沿って流下しやすいため、冷却用水が平板を流下する場合に比べて、冷却用水の流れる面積が溝部２７の深さの分だけ大きくなる。これにより、冷却用水によりスパンドレル２４を冷却する際の冷却効率が高められることになる。
【００５４】
図１の説明に戻り、給水装置８１には、水道水を供給する水道管８５と、雨水を貯留する雨水タンク８６とが給水管８７により接続されている。給水管８７には、水道管８５から給水装置８１への水道水の供給を可能とする水道水バルブ８８と、雨水タンク８６から給水装置８１への雨水の供給を可能とする雨水ポンプ８９とが設けられている。
【００５５】
次に、太陽熱集熱装置３１に関する電気的な構成について説明する。
【００５６】
制御手段としてのコントローラ９１は、ＣＰＵや各種メモリ等からなるマイクロコンピュータを含んで構成されており、例えば居室２９の壁面に取り付けられている。コントローラ９１は、人によって入力操作が行われる操作部９２と、その入力操作に関する情報を記憶する記憶部９３とを有している。
【００５７】
コントローラ９１には、スパンドレル２４の温度を検出する温度検出手段としてのスパンドレル温度センサ９５と、居室２９の温度を検出する居室温度センサ９６と、外気温度を検出する外気温度センサ９７と、雨水タンク８６の水量を検出する雨水量センサ９８とが接続されており、これらセンサ９５〜９８は検出信号をコントローラ９１に対して出力する。スパンドレル温度センサ９５はスパンドレル２４に取り付けられている。居室温度センサ９６は例えば居室２９の壁面に取り付けられており、外気温度センサ９７は例えば外壁１５におけるスパンドレル２４が設けられていない部分に取り付けられている。雨水量センサ９８は雨水タンク８６に設けられている。
【００５８】
コントローラ９１には、給気ファン７７と、給水装置８１の給水駆動部８３と、水道水バルブ８８と、雨水ポンプ８９とが接続されており、コントローラ９１は指令信号を出力することによりそれら給気ファン７７、給水駆動部８３、水道水バルブ８８及び雨水ポンプ８９の動作制御を行う。
【００５９】
続いて、コントローラ９１により実行されるスパンドレル温度調整処理の処理手順について、図７のフローチャートを参照しつつ説明する。なお、コントローラ９１はスパンドレル温度調整処理を所定周期で繰り返し実行する。
【００６０】
図７において、ステップＳ１１では、各種センサ９５〜９８の検出信号を取得する。ステップＳ１２では、太陽熱集熱装置３１により居室２９の暖房を行うか否かを判定する。ここでは、居室温度センサ９６の検出信号に基づいて居室温度を算出するとともに、居室温度が所定温度（例えば１８℃）より低いか否かを判定し、低い場合に暖房を行うとしてステップＳ１３に進む。
【００６１】
ステップＳ１３では、集熱空間３２から居室２９への給気を行うか否かを判定する。ここでは、スパンドレル温度センサ９５の検出信号に基づいてスパンドレル２４の温度を算出するとともに、スパンドレル２４の温度が判定温度Ｔ１（例えば２０℃）より大きいか否かを判定する。ちなみに、記憶部９３にはスパンドレル２４の温度と集熱空間３２の温度と対応関係に関する情報が記憶されており、その情報に基づいて、集熱空間３２の温度が所定温度（例えば１８℃）より大きくなる場合のスパンドレル２４の温度を判定温度Ｔ１（例えば２０℃）として設定する。スパンドレル２４の温度が判定温度Ｔ１以下である場合、給気を行わないとしてそのまま本処理を終了し、スパンドレル２４の温度が判定温度Ｔ１より大きい場合、給気を行うとしてステップＳ１４に進む。
【００６２】
なお、外気温度センサ９７の検出信号に基づいて外気温度を算出するとともに、外気温度が所定温度（例えば３０℃）より大きいか否かを判定し、外気温度が所定温度より大きい場合に給気を行うとしてもよい。
【００６３】
ステップＳ１４では、給気ファン７７を運転させて集熱空間３２から居室２９に空気を供給する。この場合、スパンドレル２４を介して太陽光の熱により温められた空気が暖気として居室２９に供給されるため、例えば冬期において居室２９の暖房が行われることになる。
【００６４】
居室２９の暖房を行わない場合（ステップＳ１２がＮＯ判定の場合）、ステップＳ１５に進み、スパンドレル２４の冷却を行うか否かを判定する。ここでは、スパンドレル温度センサ９５の検出信号に基づいてスパンドレル２４の温度を算出し、スパンドレル２４の温度が冷却基準温度としての判定温度Ｔ２より大きいか否かを判定する。ここで、判定温度Ｔ２は判定温度Ｔ１より高い温度（例えば３５℃）に設定されており、スパンドレル２４の温度が判定温度Ｔ２より大きい場合に、例えば夏期において太陽光の熱により加熱されたスパンドレル２４を冷却するとしてステップＳ１６に進む。
【００６５】
ステップＳ１６では、給水装置８１に雨水を供給するか否かを判定する。ここでは、雨水量センサ９８の検出信号に基づいて雨水タンク８６の貯水量を算出するとともに、貯水量が所定量より大きいか否かを判定し、大きい場合に給水装置８１に雨水を供給するとしてステップＳ１７に進む。ステップＳ１７では、雨水ポンプ８９を運転させて雨水タンク８６から雨水を給水装置８１に供給する。ステップＳ１８では、給水装置８１を運転させてスパンドレル２４の溝部２７に雨水を流す。
【００６６】
一方、雨水タンク８６の貯水量が所定量以下である場合、給水装置８１に雨水を供給しないとしてステップＳ１９に進み、水道水バルブ８８を開放させて水道管８５から水道水を給水装置８１に供給する。この場合、ステップＳ１８では、給水装置８１を運転させてスパンドレル２４の溝部２７に水道水を流す。
【００６７】
また、本実施形態の太陽熱集熱装置３１においては、建物１０の四方の外壁１５のうち複数に集熱空間３２が設けられており、それら集熱空間３２の間で空気の授受が行われる構成となっている。この構成によれば、複数の集熱空間３２の各温度が異なる場合、温度調整の対象となる集熱空間３２に対して他の集熱空間３２から空気を供給することにより温度調整を実行することが可能となる。
【００６８】
複数の集熱空間３２の間で空気の授受が行われる構成について図を参照しつつ説明する。図８は居室２９周辺の建物１０の概略平面図である。なお、図８には、太陽熱集熱装置３１に関する電気的なブロック図が含まれている。また、図８においては集熱給気通路３５や集熱還気通路３６の図示を省略している。
【００６９】
図８に示すように、居室２９の三方の外壁１５ａ〜１５ｃには集熱空間３２ａ〜３２ｃがそれぞれ設けられている。建物１０において外壁１５ａは東面、外壁１５ｂは南面、外壁１５ｃは西面をそれぞれ形成している。この場合、集熱空間３２ａを形成するスパンドレル２４ａには東側から太陽光が照射され、集熱空間３２ｂを形成するスパンドレル２４ｂには南側から太陽光が照射され、集熱空間３２ｃを形成するスパンドレル２４ｃには西側から太陽光が照射されることになる。
【００７０】
集熱空間３２ａ〜３２ｃは空気の授受が可能な授受用通路１０１により互いに連通されている。授受用通路１０１は空調用配管により形成されており、集熱空間３２ａと集熱空間３２ｂとを連通し、集熱空間３２ｂと集熱空間３２ｃとを連通し、集熱空間３２ｃと集熱空間３２ａとを連通している。授受用通路１０１には、空気の授受を強制的に行わせる授受用ファン１０２が設けられている。授受用ファン１０２は電気モータを含んで構成されており、正逆両方向への回転が可能となっている。
【００７１】
外壁１５ａ〜外壁１５ｃにおいて、スパンドレル２４ａ〜２４ｃにはそれらスパンドレル２４ａ〜２４ｃの温度を検出するスパンドレル温度センサ９５ａ〜９５ｃがそれぞれ設けられている。
【００７２】
スパンドレル温度センサ９５ａ〜９５ｃ及び授受用ファン１０２はコントローラ９１と電気的に接続されている。スパンドレル温度センサ９５ａ〜９５ｃは検出信号をコントローラ９１に対して出力する。コントローラ９１は指令信号を出力することにより授受用ファン１０２の動作制御を行う。
【００７３】
コントローラ９１は、スパンドレル温度センサ９５ａ〜９５ｃの各検出信号に基づいてスパンドレル２４ａ〜２４ｃの各温度を算出するとともに、それら温度のうち最も高い温度が判定温度Ｔ３（例えば３０℃）より大きいか否かを判定し、大きい場合、そのスパンドレルにより形成されている集熱空間を冷却対象として設定する。また、この場合、スパンドレル２４ａ〜２４ｃのうち最も温度の低いスパンドレルにより形成されている集熱空間を空気の供給元として設定し、集熱空間３２ａ〜３２ｃのうち供給元から冷却対象に空気が供給されるように授受用ファン１０２を駆動させる。
【００７４】
なお、集熱空間３２ａ〜３２ｃを空気で冷却するか否かを判定するための判定温度Ｔ３は、居室２９の暖房を行うか否かを判定するための判定温度Ｔ１より大きく、スパンドレル２４ａ〜２４ｃを冷却用水で冷却するか否かを判定するための判定温度Ｔ２より小さくなっている。したがって、空気による集熱空間３２ａ〜３２ｃの冷却は、夏期においてスパンドレル２４ａ〜２４ｃが過剰に加熱された場合に行われ、空気による冷却が行われたにもかかわらずスパンドレル２４ａ〜２４ｃの温度が上昇して判定温度Ｔ３に達した場合に、冷却用水による集熱空間３２ａ〜３２ｃの冷却が行われることになる。
【００７５】
次に、集熱空間３２ａ〜３２ｃの間の空気の授受について説明する。
【００７６】
例えば、夏期の朝方において、スパンドレル２４ａ〜２４ｃのうち陽の当たる東側のスパンドレル２４ａの温度が最も高く、日陰となる西側のスパンドレル２４ｃの温度が最も低い場合、西側の集熱空間３２ｃから東側の集熱空間３２ａに空気を供給する回転方向で授受用ファン１０２が駆動される。この場合、西側の集熱空間３２ｃの空気により東側の集熱空間３２ａが冷却され、それにより、東側のスパンドレル２４ａの温度が低下する。
【００７７】
夏期の昼間において、陽の当たる南側のスパンドレル２４ｂの温度が最も高く、陽の当たる西側のスパンドレル２４ｃの温度が最も低い場合、東側のスパンドレル２４ａ及び西側のスパンドレル２４ｃのうち温度の低い方に対応した集熱空間から南側の集熱空間３２ｂに空気を供給する回転方向で授受用ファン１０２が駆動される。この場合、西側の集熱空間３２ｃ又は東側の集熱空間３２ａの空気により南側の集熱空間３２ｂが冷却され、それにより、南側のスパンドレル２４ｂの温度が低下する。
【００７８】
夏期の夕方において、陽の当たる西側のスパンドレル２４ｃの温度が最も高く、日陰となる東側の集熱空間３２ａの温度が最も低い場合、東側の集熱空間３２ａから西側の集熱空間３２ｃに空気を供給する回転方向で授受用ファン１０２が駆動される。この場合、東側の集熱空間３２ａの空気により西側の集熱空間３２ｃが冷却され、それにより、西側のスパンドレル２４ｃの温度が低下する。
【００７９】
以上詳述した本実施形態によれば、以下の優れた効果が得られる。
【００８０】
給水装置８１からスパンドレル２４に対して冷却用水が供給されることにより、スパンドレル２４の冷却が行われ、それにより集熱空間３２の温度を低下させることができる。したがって、例えば夏期において太陽光により過剰に加熱された集熱空間３２から熱が居室２９に伝わって居室２９の温度が上昇してしまうという不都合を抑制できる。つまり、太陽熱集熱装置３１により居室２９の暖房が行われる構成において、夏期における居室２９の温度調整を好適に行うことができる。
【００８１】
太陽熱集熱装置３１において、居室２９の四方のうち複数にそれぞれ設けられた集熱空間３２のうち、太陽光により加熱された集熱空間３２に対して温度の低い他の集熱空間３２から空気が供給されるため、給気対象とされた集熱空間３２の温度を低下させることができる。したがって、スパンドレル２４に対して冷却用水が供給された場合と同様に、例えば夏期において太陽光により過剰に加熱された集熱空間３２から熱が居室２９に伝わって居室２９の温度が上昇してしまうという不都合を抑制できる。
【００８２】
例えば夏期において太陽光によりスパンドレル２４が過剰に加熱された場合に、冷却用水によりスパンドレル２４を直接冷却することや、冷却のための空気により集熱空間３２を冷却してスパンドレル２４を間接的に冷却することにより、スパンドレル２４の温度を低下させることができる。この場合、スパンドレル２４の温度をスパンドレル２４に人が触れても支障のない温度とすることができるため、集熱空間３２を形成するスパンドレル２４に関しての安全性を高めることができる。
【００８３】
給気ファン７７を停止させることにより集熱空間３２から居室２９への給気が停止する。したがって、例えば夏期において集熱空間３２から熱気が居室２９に供給されることを回避でき、ひいては、居室２９の温度が上昇することを回避できる。
【００８４】
外壁１５にはスパンドレル側断熱材６４が設けられているため、集熱空間３２から外壁パネル５１や壁内空気層５４、内壁材５５への熱の伝わりが抑制される。つまり、集熱空間３２の熱が居室２９に伝わることが抑制される。したがって、例えば夏期において太陽熱集熱装置３１による居室２９の暖房が行われていない場合に、居室２９の温度が上昇することを抑制できる。
【００８５】
また、スパンドレル側断熱材６４により集熱空間３２における集熱効率が高められることになるため、集熱空間３２の温度上昇を促進することができる。したがって、例えば冬期において太陽熱集熱装置３１による居室２９の暖房が行われている場合、スパンドレル側断熱材６４が設けられていない構成に比べて居室２９の上昇温度を大きくすることができる。
【００８６】
給水装置８１により冷却用水がスパンドレル２４の屋外面に流されるため、冷却用水がスパンドレル２４の屋外側にて気化しやすくなっている。この場合、冷却用水によりスパンドレル２４を直接冷却することができるのはもちろんのこと、冷却用水の気化熱によりスパンドレル２４の屋外側周辺の空気の温度を低下させてスパンドレル２４の温度が上昇すること自体を抑制できる。したがって、冷却用水によるスパンドレル２４の冷却効果を高めることができる。
【００８７】
冷却用水がスパンドレル２４の溝部２７内に流されるため、冷却用水が溝部２７間に流される場合に比べて、スパンドレル２４における冷却用水の流れる表面積を溝部２７の深さの分だけ大きくすることができる。また、溝部２７の幅寸法Ｗ１が溝部２７の間の溝間寸法Ｗ２より大きくなっているため、冷却用水の流れる方向を溝部２７により下方に規制しつつ、スパンドレル２４における冷却用水の流れる部分（流水部）の面積を極力大きくすることができる。したがって、冷却用水によるスパンドレル２４の冷却効率を高め、ひいては、冷却用水による集熱空間３２の冷却効率を高めることができる。
【００８８】
太陽熱集熱装置３１により、居室２９の空気が還気として集熱空間３２に取り込まれるとともに、集熱空間３２の空気が給気として居室２９に供給される。この場合、集熱空間３２に外気が取り込まれないため、建物１０において行われている自然換気や機械換気の換気量が変化することを抑制できる。したがって、建物１０内の換気状態を良好に保ちつつ居室２９の暖房を行うことができる。
【００８９】
スパンドレル２４に冷却用水として雨水を供給することが可能であるため、中水としての雨水を再利用することになる。したがって、スパンドレル２４に冷却用水として水道水だけを供給する構成に比べて水資源の保護を図ることができる。
【００９０】
還気用スリーブ６６に閉塞栓６７を嵌合させることにより集熱還気通路３６が閉鎖されることになるため、太陽熱集熱装置３１による居室２９の暖房を行わない場合において、集熱還気通路３６を通じて居室２９と集熱空間３２と間での空気が流れることを回避できる。したがって、例えば夏期において集熱空間３２の温かい空気が居室２９に流れ込むことを回避できる。また、閉塞栓６７に設けられている閉塞断熱材６７ｂは、外壁１５に含まれる居室側断熱材５６と同様にグラスウール等により形成されているため、集熱空間３２から居室２９に閉塞栓６７を通じて熱が伝わることを抑制できる。
【００９１】
（他の実施形態）
本発明は上記実施形態の記載内容に限定されず、例えば次のように実施してもよい。
【００９２】
（１）集熱空間３２同士で空気の授受が行われる構成ではなく、集熱空間３２に対して別の空間部から空気が供給される構成としてもよい。例えば、図９に示すように、集熱空間３２と床下空間３９とが冷却用通路１０５により連通されており、床下空間３９から集熱空間３２に空気が供給される構成とする。冷却用通路１０５には冷却用ファン１０６が設けられており、冷却用ファン１０６の駆動に伴って床下空間３９の空気が集熱空間３２に強制的に供給される。
【００９３】
冷却用ファン１０６はコントローラ９１と電気的に接続されており、コントローラ９１により動作制御される。コントローラ９１は、スパンドレル２４の温度が例えば判定温度Ｔ３（上記実施形態において集熱空間３２同士の空気の授受が行われる温度）より高くなった場合に、冷却用ファン１０６を運転させて床下空間３９から集熱空間３２に空気を供給させる。ここで、夏期においては床下空間３９に外気より温度の低い冷気が溜まりやすくなっており、その冷気が集熱空間３２の温度を低下させることになる。
【００９４】
なお、床下空間３９の温度を検出する床下温度センサが床下空間３９に設けられており、その床下温度センサがコントローラ９１と電気的に接続されていてもよい。この場合、コントローラ９１は、床下温度センサの検出信号に基づいて床下空間３９の温度を算出するとともに、床下空間３９の温度が冷却に適した温度（例えば２０℃以下）であるか否かを判定し、適した温度である場合に冷却用ファン１０６を運転させることが好ましい。
【００９５】
（２）上記実施形態では、集熱空間３２ごとに給気手段としての給気ファン７７が設けられていたが、給気手段は複数の集熱空間に対して共通で設けられていてもよい。例えば、図１０に示すように、複数の集熱空間３２が連結通路１１１により互いに連結されており、その連結通路１１１に形成された給気口１１２に対して給気ファン１１３が設けられている構成とする。この構成では、各集熱空間３２は集熱給気通路３５を通じて連結通路１１１に接続されており、各集熱給気通路３５にはそれら通路を開閉する給気バルブ１１４がそれぞれ設けられている。
【００９６】
給気バルブ１１４及び給気ファン１１３はコントローラ９１と電気的に接続されており、コントローラ９１により動作制御される。コントローラ９１は、集熱空間３２ごとにスパンドレル２４の温度が異なる場合、冬期であれば最も温度の高いスパンドレル２４に対応した給気バルブ１１４を開状態とし、給気ファン１１３を運転させる。この場合、各集熱空間３２から最も温度の高い空気が暖気として居室２９に供給されることになる。したがって、低い温度の集熱空間３２からも居室２９に給気が行われる構成に比べて居室２９の暖房効率を高めることができる。
【００９７】
（３）スパンドレル２４に対して加熱するための流体が供給される構成としてもよい。例えば、加熱するための流体として温水が給水装置８１からスパンドレル２４に対して供給される構成とする。この構成では、給水装置８１にヒータ部が設けられており、そのヒータ部により水道水や雨水が加熱される。この構成によれば、太陽光に加えて温水によりスパンドレル２４を加熱することが可能となり、その結果、集熱空間３２の空気の温度上昇を促進することができる。この場合、集熱空間３２から暖気を供給することで居室２９の暖房を行う際に、居室２９の温度上昇を大きくすることができる。
【００９８】
また、給水装置８１が冷却用流体（例えば冷水）及び加熱用流体（例えば温水）の両方をスパンドレル２４に対して供給可能となっており、コントローラ９１が、スパンドレル２４の温度が冷却基準温度（判定温度Ｔ２）より大きい場合に冷却用流体を供給させ、スパンドレル２４の温度が加熱基準温度より大きい場合に加熱用流体を供給させる構成としてもよい。この構成によれば、夏期においては過剰に温度上昇したスパンドレル２４が冷却することが可能となるため、集熱空間３２内に熱気がこもることを抑制し、ひいては居室２９の冷房効率を高めることができる。また、冬期においては過剰に温度低下したスパンドレル２４を加熱することが可能となるため、集熱空間３２内に冷気がこもることを抑制し、ひいては居室２９の暖房効率を高めることができる。
【００９９】
なお、この構成において、コントローラ９１は、冷却用流体を供給させる手段としての冷却用流体供給処理と、加熱用流体を供給させる手段としての加熱用流体供給処理との打ちいずれかだけを実行してもよい。また、冷却基準温度と加熱基準温度とは同じ値に設定されていてもよく、異なる値に設定されていてもよい。例えば、冷却基準温度が加熱基準温度より高く設定されている構成とする。この構成によれば、冷却基準温度と加熱基準温度との間にスパンドレル２４の冷却及び加熱のいずれも行われない温度領域が存在することになるため、常に給水装置８１から冷却用流体及び加熱用流体のいずれかが供給されるということを回避できる。つまり、スパンドレル２４の冷却又は加熱が行われる構成において、省エネルギ化を図ることができる。
【０１００】
さらに、加熱するための流体として暖気や熱気が集熱空間３２に対して供給される構成としてもよい。この構成としては、複数の集熱空間３２のうち温度の高い集熱空間３２から温度の低い集熱空間３２に空気が供給される構成や、コージェネ機器から放出された廃熱がコージェネ機器収納室から集熱空間３２に供給される構成、車両から放出された廃熱がガレージ等の車庫から集熱空間に供給される構成などが挙げられる。なお、コージェネ機器収納室や車庫などから供給される空気は、建物内部又は建物周辺部における空気となっている。
【０１０１】
（４）スパンドレル２４に対して給水装置８１により水が噴霧される構成としてもよい。例えば、給水装置８１がスパンドレル２４の下部や下方に設置されており、その給水装置８１から上方に向けて水が噴霧される構成とする。この構成によれば、噴霧された水がスパンドレル２４の屋外面周辺において太陽熱やスパンドレル２４の熱によって気化し、その気化熱によりスパンドレル２４の屋外面周辺の空気が冷却され、それによってスパンドレル２４が冷却される。また、スパンドレル２４の屋外面周辺において太陽熱やスパンドレル２４の熱による上昇気流が発生すると、噴霧された水はその上昇気流とともに上昇するため、水がスパンドレル２４の下部に向けて噴霧される構成でも、スパンドレル２４の中央部分や上部を冷却することが可能となる。
【０１０２】
（５）給水装置８１はスパンドレル２４から水平方向に屋外側へ離れた位置に設けられていてもよい。例えば、建物１０において軒下に太陽熱集熱装置３１が設置されており、給水装置８１が軒先に設置されている構成とする。この構成では、給水装置８１からスパンドレル２４に向けて冷却用水が放出されると、その冷却用水はスパンドレル２４の溝部２７だけでなく溝部間にも供給されやすくなる。したがって、上下方向に延びる溝部２７が複数形成されているスパンドレル２４においても、スパンドレル２４の屋外面の全体を冷却用水により冷却することができる。
【０１０３】
（６）スパンドレル２４の屋外面に光触媒塗料が塗布されていてもよい。この構成では、スパンドレル２４の屋外面に冷却用水が供給された場合に、スパンドレル２４の屋外面において冷却用水による水膜が生成されやすくなる。つまり、スパンドレル２４の潜熱により冷却用水が気化しやすくなる。したがって、スパンドレル２４の冷却効率を高めることができる。
【０１０４】
（７）冷却又は加熱のための流体として水又は温水が集熱空間３２に流されてもよく、前記流体として空気がスパンドレル２４の屋外面に対して供給されてもよい。スパンドレル２４の屋外面に対して空気を供給する手段としては、スパンドレル２４の屋外面に沿って空気層が形成されるように空気を供給するエアカーテン装置などが挙げられる。この場合、空気層が冷気により形成されていればスパンドレル２４が冷却され、空気層が熱気により形成されていればスパンドレル２４が加熱される。
【０１０５】
（８）集熱空間３２に外気が直接取り込まれる構成としてもよい。例えば、集熱空間３２と屋外空間とが屋外還気通路により連通されている構成とする。この場合、給気ファン７７による集熱空間３２から居室２９への給気が行われると、外気が集熱空間３２に取り込まれることになる。
【０１０６】
（９）集熱空間３２ａ〜３２ｃにて空気の授受が行われる場合、冷却対象となる集熱空間及び空気の供給元となる集熱空間の少なくとも一方が都度の時刻に基づいて設定される構成としてもよい。例えば、冷却対象となる集熱空間及び空気の供給元となる集熱空間が時間帯に基づいて設定される構成とする。
【０１０７】
具体的には、時刻が朝方の時間帯である場合、冷却対象が東側の集熱空間３２ａに設定されるとともに空気の供給元が西側の集熱空間３２ｃに設定され、日陰にある西側の集熱空間３２ｃから陽の当たる東側の集熱空間３２ａに空気が供給される。この場合、例えば夏期に朝日により温度上昇した東側の集熱空間３２ａの温度を低下させることができる。
【０１０８】
時刻が昼間の時間帯である場合、冷却対象が南側の集熱空間３２ｂに設定されるとともに、午前であれば空気の供給元は西側の集熱空間３２ｃに設定され、午後であれば空気の供給元は東側の集熱空間３２ａに設定される。これにより、西側の集熱空間３２ａ及び東側の集熱空間３２ａのうち日陰にある方から陽の当たる南側の集熱空間３２ｂに空気が供給される。この場合、例えば夏期の昼間に温度上昇した南側の集熱空間３２ｂの温度を低下させることができる。
【０１０９】
時刻が夕方の時間帯である場合、冷却対象が西側の集熱空間３２ｃに設定されるとともに空気の供給元が東側の集熱空間３２ａに設定され、日陰にある東側の集熱空間３２ａから陽の当たる西側の集熱空間３２ｃに空気が供給される。この場合、例えば夏期に西日により温度上昇した西側の集熱空間３２ｃの温度を低下させることができる。
【０１１０】
（１０）冷却用水によるスパンドレル２４の冷却と、他の空間部（他の集熱空間３２）から供給される空気による集熱空間３２の冷却とが選択的に行われる構成としてもよい。例えば、外気温度が所定温度より大きい場合や、住人の帰宅時など集熱空間３２を短時間で冷却する場合などは、冷却用水によるスパンドレル２４の冷却が行われる構成とする。この構成によれば、空気による集熱空間３２の冷却に比べて集熱空間３２の冷却効率が高められる。ここで、冷却用水によりスパンドレル２４が直接冷却される場合は、集熱空間３２の冷却効率が高められ、他の空間部から供給される空気により集熱空間３２が冷却される場合は、冷却用水が供給される場合に比べて省エネルギ効果を得ることができる。したがって、集熱空間３２の冷却効率を高める構成と、省エネルギ効果を高める構成とを適宜使い分けることができる。
【０１１１】
（１１）スパンドレル２４等の折曲板は、波状ではなく矩形状に折り曲げられて形成されていてもよい。つまり、折曲板には溝部２７が設けられていればよく、溝部２７の形状としては円状や矩形状などが挙げられる。
【０１１２】
（１２）集熱板はスパンドレル２４等の折曲板ではなく、ガラス板等の平板により形成されていてもよい。
【０１１３】
（１３）スパンドレル２４において、溝部２７の幅寸法Ｗ１は溝部２７の間の溝間寸法Ｗ２より大きくなくてもよい。また、給水装置８１はスパンドレル２４の溝部２７に冷却用水を流すのではなく、隣り合う溝部２７の間の部分に冷却用水を流してもよい。
【０１１４】
（１４）集熱空間３２は、建物１０の屋根において屋根を形成する屋根下地材等の板材とスパンドレル２４との間に形成されていてもよい。また、外壁１５や屋根はスパンドレル２４を含まずに形成されていてもよい。例えば、外壁パネル５１の外壁材５２により仕上げ面（屋外面）が形成されている外壁１５に対して、その仕上げ面の屋外側にスパンドレル２４が設けられている構成とする。この場合、外壁１５の仕上げ面とスパンドレル２４との間に集熱空間３２が形成されていることになる。
【０１１５】
（１５）上記実施形態では、スパンドレル２４や集熱空間３２の冷却がスパンドレル２４の温度に基づいて行われたが、集熱空間３２の温度に基づいて行われてもよい。例えば、温度検出手段として、集熱空間３２の温度を検出する集熱空間温度センサが設けられている構成とする。この構成では、集熱空間温度センサにより検出された集熱空間３２の温度が所定温度より大きい場合、集熱空間３２から居室２９に空気を供給することにより居室２９の暖房を行うことができる。また、給水装置８１から冷却用水を供給することによりスパンドレル２４が冷却され、集熱空間３２の温度が所定温度より小さくなった場合、集熱空間３２から居室２９に空気を供給することにより居室２９の冷房を行うことができる。
【符号の説明】
【０１１６】
１０…建物、１５…外壁、２４…集熱板としてのスパンドレル、２７…溝部、２９…建物内空間としての居室、３１…太陽熱集熱装置、３２…集熱空間、３５…給気通路としての集熱給気通路、３９…床下空間、５２…板材としての外壁材、６４…断熱材としてのスパンドレル側断熱材、７６…給気通路を形成する給気用スリーブ、８１…温度調整手段及び屋外側供給手段としての給水装置、９１…制御手段としてのコントローラ、９５…温度検出手段としてのスパンドレル温度センサ、１０１…空気供給手段を構成する授受用通路、１０２…空気供給手段を構成する授受用ファン、１０５…空気供給手段を構成する冷却用通路、１０６…空気供給手段を構成する冷却用ファン。
【図１】
0005563325.tif 000002
【図２】
0005563325.tif 000003
【図３】
0005563325.tif 000004
【図４】
0005563325.tif 000005
【図５】
0005563325.tif 000006
【図６】
0005563325.tif 000007
【図７】
0005563325.tif 000008
【図８】
0005563325.tif 000009
【図９】
0005563325.tif 000010
【図１０】
0005563325.tif 000011